(57)【要約】【課題】簡易な構成で、電力を必要とすることなく、イオン交換膜の劣化を検出する。【解決手段】イオン交換膜５と、該イオン交換膜５によって区画された２つの部屋３，４内に配置されたアノード７およびカソード６と、アノード７側またはカソード６側のいずれか一方の部屋３内に収容されたアルカリ性もしくは酸性の非中性溶液１０と、他方の部屋４内に収容された中性溶液１１と、非中性溶液１０と中性溶液１１とが混合されたときに、非中性溶液１０または中性溶液１１のいずれかの外観を変化させる破損報知手段１３とを備える液体燃料電池１を提供する。【選択図】図１
2014035824.tif 000002
【特許請求の範囲】
【請求項１】
イオン交換膜と、
該イオン交換膜によって区画された２つの部屋内に配置されたアノードおよびカソードと、
前記アノード側または前記カソード側のいずれか一方の前記部屋内に収容されたアルカリ性もしくは酸性の非中性溶液と、
他方の前記部屋内に収容された中性溶液と、
前記非中性溶液と前記中性溶液とが混合されたときに、前記非中性溶液または前記中性溶液のいずれかの外観を変化させる破損報知手段とを備える液体燃料電池。
【請求項２】
前記中性溶液が収容された前記部屋内に配置され、前記中性溶液が酸性またはアルカリ性に変化したときに、これを中和する中和手段を備える請求項１に記載の液体燃料電池。
【請求項３】
前記破損報知手段が、前記非中性溶液および前記中性溶液の色を異ならせることにより構成されている請求項１または請求項２に記載の液体燃料電池。
【請求項４】
前記破損報知手段が、前記非中性溶液および前記中性溶液の少なくとも一方に混合され、ｐＨの変化によって変色する試薬を含む請求項１または請求項２に記載の液体燃料電池。
【請求項５】
前記破損報知手段が、イオン交換膜を透過しない大きさの非水溶性の基材の表面に非水溶性の試薬を塗布してなる請求項４に記載の液体燃料電池。
【請求項６】
前記破損報知手段が、前記非中性溶液および前記中性溶液の少なくとも一方に混合され、ｐＨの変化によって溶解する外殻内に着色材を収容した着色材カプセルである請求項１または請求項２に記載の液体燃料電池。
【請求項７】
前記破損報知手段が、前記着色材が、着色された多数の粒子からなる請求項６に記載の液体燃料電池。
【請求項８】
前記中和手段が、ｐＨの変化によって溶解する外殻内に中和剤を収容した中和剤カプセルである請求項２に記載の液体燃料電池。
【請求項９】
前記破損報知手段が、前記非中性溶液および前記中性溶液の少なくとも一方に混合され、ｐＨの変化によって溶解する外殻内に着色材を収容した着色材カプセルであり、前記中和手段が、前記着色材カプセルを構成する前記外殻内に前記中和剤を収容してなる請求項２に記載の液体燃料電池。
【請求項１０】
前記破損報知手段が、いずれかの前記部屋内に固定されている請求項５から請求項７のいずれかに記載の液体燃料電池。
【請求項１１】
前記中和手段が、前記中性溶液を収容する前記部屋内に固定されている請求項８または請求項９に記載の液体燃料電池。
【請求項１２】
いずれかの前記部屋に、前記非中性溶液または前記中性溶液を排出する排出口が設けられるとともに、前記破損報知手段の排出口からの排出を阻止するフィルタ部を備える請求項５から請求項７のいずれかに記載の液体燃料電池。
【発明の詳細な説明】
【技術分野】
【０００１】
本発明は、液体燃料電池に関するものである。
【背景技術】
【０００２】
従来、カソード側が気相の固体高分子型燃料電池において、排出ガスのイオン濃度を検出し、その濃度変化によりイオン交換膜の劣化を検出する技術が知られている。この技術は、排出される燃料のイオン濃度を検出し、検出されたイオン濃度が変化したときには、イオン交換膜の劣化によるクロスリークが発生したとして、イオン交換膜の劣化を検出するものである。
【先行技術文献】
【特許文献】
【０００３】
【特許文献１】特開２００６−４９１４６号公報
【発明の概要】
【発明が解決しようとする課題】
【０００４】
しかしながら、特許文献１の燃料電池では、イオン濃度を検出し、イオン交換膜の劣化を判定するために電気的な検出および処理を行う必要があり、装置が複雑で大がかりになるとともに、検出および処理に電力を要するため、電力供給に問題が生じた場合にはイオン交換膜の劣化を検出することができないという不都合がある。
【０００５】
本発明は、上述した事情に鑑みてなされたものであって、簡易な構成で、電力を必要とすることなく、イオン交換膜の劣化を検出することができる液体燃料電池を提供することを目的としている。
【課題を解決するための手段】
【０００６】
上記目的を達成するために、本発明は以下の手段を提供する。
本発明の一態様は、イオン交換膜と、該イオン交換膜によって区画された２つの部屋内に配置されたアノードおよびカソードと、前記アノード側または前記カソード側のいずれか一方の前記部屋内に収容されたアルカリ性もしくは酸性の非中性溶液と、他方の前記部屋内に収容された中性溶液と、前記非中性溶液と前記中性溶液とが混合されたときに、前記非中性溶液または前記中性溶液のいずれかの外観を変化させる破損報知手段とを備える液体燃料電池を提供する。
【０００７】
本態様によれば、イオン交換膜が正常な状態では、イオン交換膜によって区画された２つの部屋内に収容された非中性溶液と中性溶液とは混じり合うことがなく、両溶液ともに予め定められた一定の色を有しているが、イオン交換膜が劣化して孔が空いた場合には、非中性溶液と中性溶液とが混じり合い、破損報知手段の作動によりいずれかの溶液の外観が変化する。これにより、電気的な検出や処理を行うことなく、簡易にイオン交換膜の劣化を報知することができる。
溶液の外観としては、溶液の色、透明度、溶液内に浮遊する浮遊物の形状、発光量等を挙げることができる。
【０００８】
上記態様においては、前記中性溶液が収容された前記部屋内に配置され、前記中性溶液が酸性またはアルカリ性に変化したときに、これを中和する中和手段を備えていてもよい。
このようにすることで、イオン交換膜が劣化して穴が空き、非中性溶液と中性溶液とが混合する結果、中性溶液が、非中性溶液の影響で酸性またはアルカリ性に変化すると、中性溶液が収容されている部屋内に配置された中和手段が作動して、酸性またはアルカリ性に変化した中性溶液を中和し、無害化することができる。
【０００９】
また、上記態様においては、前記破損報知手段が、前記非中性溶液および前記中性溶液の色を異ならせることにより構成されていてもよい。
このようにすることで、イオン交換膜の劣化により穴が空いて、非中性溶液と中性陽的とが混合されると、両溶液の混合液は、各溶液の中間の色となるので、イオン交換膜の劣化を簡易に検出することができる。
【００１０】
また、上記態様においては、前記破損報知手段が、前記非中性溶液および前記中性溶液の少なくとも一方に混合され、ｐＨの変化によって変色する試薬を含んでいてもよい。
このようにすることで、イオン交換膜の劣化により穴が空いて、非中性溶液と中性陽的とが混合されると、両溶液の混合液は元の溶液に対してｐＨが変化するので、少なくとも一方の溶液に混合されていた試薬が化学変化によって変色するので、イオン交換膜の劣化を簡易に検出することができる。
【００１１】
また、上記態様においては、前記破損報知手段が、イオン交換膜を透過しない大きさの非水溶性の基材の表面に非水溶性の試薬を塗布して構成されていてもよい。
このようにすることで、イオン交換膜が劣化していない状態では、破損報知手段はイオン交換膜を透過することができずに、一方の溶液内に留めることができる。すなわち、分子量が小さくて、単体ではイオン交換膜を通過してしまうような試薬を使用することができる。
【００１２】
また、上記態様においては、前記破損報知手段が、前記非中性溶液および前記中性溶液の少なくとも一方に混合され、ｐＨの変化によって溶解する外殻内に着色材を収容した着色材カプセルであってもよい。
このようにすることで、イオン交換膜の劣化により穴が空いて、非中性溶液と中性陽的とが混合されると、両溶液の混合液は元の溶液に対してｐＨが変化するので、外殻が溶解して内部の着色材が放出され、非中性溶液あるいは中性溶液のいずれかの色調が変化する。これにより、電気的な検出や処理を行うことなく、簡易にイオン交換膜の劣化を報知することができる。
【００１３】
また、上記態様においては、前記破損報知手段が、前記着色材が、着色された多数の粒子からなっていてもよい。
このようにすることで、非中性溶液と中性陽的とが混合されて、ｐHが変化することにより外殻が溶解すると、外殻内に収容していた、着色された多数の粒子が外殻外に放出されて溶液内に分散されるので、溶液の色調を変化させることができる。
【００１４】
また、上記態様においては、前記中和手段が、ｐＨの変化によって溶解する外殻内に中和剤を収容した中和剤カプセルであってもよい。
このようにすることで、イオン交換膜が劣化して穴が空き、非中性溶液と中性溶液とが混合する結果、中性溶液が、非中性溶液の影響で酸性またはアルカリ性に変化すると、中性溶液が収容されている部屋内に配置された中和剤カプセルの外殻が溶解して、中和剤が放出され、酸性またはアルカリ性に変化した中性溶液を中和し、無害化することができる。
【００１５】
また、上記態様においては、前記破損報知手段が、前記非中性溶液および前記中性溶液の少なくとも一方に混合され、ｐＨの変化によって溶解する外殻内に着色された多数の粒子を収容した着色材カプセルであり、前記中和手段が、前記着色材カプセルを構成する前記外殻内に前記中和剤を収容してなっていてもよい。
【００１６】
このようにすることで、イオン交換膜が劣化して穴が空き、非中性溶液と中性溶液とが混合する結果、中性溶液が、非中性溶液の影響で酸性またはアルカリ性に変化すると、中性溶液が収容されている部屋内に配置された中和剤カプセルの外殻が溶解して、中和剤が放出され、酸性またはアルカリ性に変化した中性溶液を中和し、無害化すると同時に、着色された多数の粒子が外殻外に放出されて溶液内に分散し、溶液の色調を変化させることができる。
【００１７】
上記態様においては、前記破損報知手段が、いずれかの前記部屋内に固定されていてもよい。
このようにすることで、非中性溶液あるいは中性溶液を交換する際に、破損報知手段を取り出すことなく溶液のみを排出することが可能となり、未使用の破損報知手段の再利用を容易にすることができる。
【００１８】
また、上記態様においては、前記中和手段が、前記中性溶液を収容する前記部屋内に固定されていてもよい。
このようにすることで、中性溶液を交換する際に、破損報知手段を取り出すことなく中性溶液のみを排出することが可能となり、未使用の中和手段の再利用を容易にすることができる。
【００１９】
また、上記態様においては、いずれかの前記部屋に、前記非中性溶液または前記中性溶液を排出する排出口が設けられるとともに、前記破損報知手段の排出口からの排出を阻止するフィルタ部を備えていてもよい。
このようにすることで、部屋に設けた排出口から部屋内内の溶液を排出する際に、破損報知手段がフィルタ部によって排出されないように阻止されるので、未使用の破損報知手段の再利用を容易にすることができる。
【発明の効果】
【００２０】
本発明によれば、簡易な構成で、電力を必要とすることなく、イオン交換膜の劣化を検出することができるという効果を奏する。
【図面の簡単な説明】
【００２１】
【図１】本発明の一実施形態に係る液体燃料電池を示す模式的な縦断面図である。
【図２】図１の液体燃料電池のイオン交換膜が破損した状態を示す縦断面図である。
【図３】図１の液体燃料電池の第１の変形例におけるイオン交換膜の破損前の状態を示す縦断面図である。
【図４】図２の液体燃料電池におけるイオン交換膜の破損後の状態を示す縦断面図である。
【図５】図１の液体燃料電池の第２の変形例に使用される基材の表面に塗布した着色材を示す縦断面図である。
【図６】図５の液体燃料電池におけるイオン交換膜の破損前の状態を示す縦断面図である。
【図７】図５の液体燃料電池におけるイオン交換膜の破損後の状態を示す縦断面図である。
【図８】図１の液体燃料電池の第３の変形例に使用される着色材カプセルを示す縦断面図である。
【図９】図８の液体燃料電池におけるイオン交換膜の破損前の状態を示す縦断面図である。
【図１０】図８の液体燃料電池におけるイオン交換膜の破損後の状態を示す縦断面図である。
【図１１】図１の液体燃料電池の第４の変形例に使用される中和剤カプセルを示す縦断面図である。
【図１２】図１の液体燃料電池の第５の変形例に使用される着色材カプセルを示す縦断面図である。
【図１３】図１の液体燃料電池の第６の変形例に使用される着色材カプセルを示す縦断面図である。
【図１４】図１の液体燃料電池の第７の変形例に使用されるフィルタ部を示す縦断面図である。
【図１５】図１の液体燃料電池の第８の変形例を示す縦断面図である。
【発明を実施するための形態】
【００２２】
本発明の一実施形態に係る液体燃料電池１について、図面を参照して以下に説明する。
本実施形態に係る液体燃料電池１は、図１に示されるように、容器２と、該容器内を２つの部屋３，４に区画するイオン交換膜５と、該イオン交換膜５を挟んで配置されたカソード６およびアノード７とを備えている。図中、符号８は外部負荷、符号９は給排口である。
【００２３】
部屋３にはカソード６が配置され、水酸化ナトリウムあるいは水酸化カリウム水溶液等のアルカリ液（非中性溶液）１０が充填されている。部屋４にはアノード７が配置され、グルコース等の糖水溶液（中性溶液）１１が充填されている。
容器２は、部屋４の内部を外部から観察できるように、その壁面の少なくとも一部が透明な材質により構成された透明部分（図示略）となっている。
【００２４】
イオン交換膜５は、固体高分子膜である。
カソード６はイオン交換膜５に接して配置されているとともに、イオン交換膜５とは逆側の面は通気防水シート１２によって覆われることにより、防水されながら大気と接触状態に配置されている。
カソード６およびアノード７は多孔質材料により構成されている。
【００２５】
本実施形態においては、アルカリ液１０に着色材１３が混合されており、例えば、赤色の水溶液となっている。一方、糖水溶液１１には着色材１３は混合されておらず、無着透明な水溶液となっている。着色材１３としては、イオン交換膜５に備えられている細孔を通過できない大きさのものであって、そのｐＨ変化によっては色を変化させないものが採用されている。例えば、分子量５００以上のもので、アマランス、エリスロシン、ニューコクシン、フロキシン、ローズベンガル、ブリリアントブルーＦＣＦ、タートラジン等の合成着色料や、クロシン、カルタミン、キサントフィル等の天然色素あるいは顔料等を用いればよい。
このように、一方のアルカリ液１０を着色して他方の糖水溶液１１とは異なる色とすることにより、破損報知手段が構成されている。
【００２６】
このように構成された本実施形態に係る液体燃料電池１の作用について以下に説明する。
本実施形態に係る液体燃料電池１によれば、イオン交換膜５が健全な状態では、部屋３に収容されたアルカリ液１０と部屋４に収容された糖水溶液１１とはイオン交換膜５によって隔絶されており、両者は混合することなく、部屋３内のアルカリ液１０のみが着色されている状態となる。
【００２７】
一方、使用とともにイオン交換膜５が劣化して、図２に示されるように、着色材１３より大きな孔Ａがイオン交換膜５に形成されると、その孔Ａを介してアルカリ液１０が糖水溶液１１内に流入する。
すなわち、アルカリ液１０のみが着色されているので、アルカリ液１０が糖水溶液１１に流入すると、両者が混合されて色調が変化する。つまり、無色透明であった糖水溶液１１が赤みを帯びるようになる。
【００２８】
容器２には、内部の状態を外部から確認可能な透明部分が設けられているので、その透明部分を介して、内部の糖水溶液１１が赤みを帯びたか否かを外部から容易に観察することができ、簡易な構成で、電力を必要とすることなく、イオン交換膜５の劣化を検出することができるという効果を奏する。
【００２９】
なお、本実施形態においては、着色材１３の色の一例として、赤を例示したが、これに限定されるものではなく、他の任意の色を使用してもよい。また、アルカリ液１０に着色材１３を混合し、糖水溶液１１は無着色としたが、逆でもよいし、両溶液１０，１１を異なる色に着色してもよい。
【００３０】
また、部屋４の少なくとも一部の壁面に透明部分を設けたが、部屋３に設けてもよいし、両方に設けてもあるいは容器２全体を透明な材質によって構成してもよい。また、部屋４に糖水溶液１１を給排する給排口９を設ける場合には、透明部分を設けることなく、給排口９を介して糖水溶液１１の色を確認することにしてもよい。
【００３１】
また、本実施形態においては、着色材１３として、ｐＨ変化によっては色が変化しないものを例示したが、これに代えて、図３に示されるように、ｐＨ変化によって変色する試薬１４を用いてもよい。
試薬１４としては、例えば、分子量５００以上のブロモチモールブルー等、分子量５００以下のチモールブルー、フェノールスルホンフタレイン、クレゾールレッド、フェノールフタレイン、トロペオリン０等を挙げることができ、部屋４内の糖水溶液１１内に混合することにより、破損報知手段が構成される。
【００３２】
すなわち、イオン交換膜５の破損により、図４に示されるように、孔Ａが形成されると、糖水溶液１１にアルカリ液１０が混合されて、糖水溶液１１のｐＨが変化するので、部屋４内の糖水溶液１１に混合されている試薬１４が変色し、これを確認することによって、イオン交換膜５の破損を簡易かつ電力を使用しない方法で、検出することができる。
この方法によれば、試薬１４のみがイオン交換膜５を通り抜けたとしてもその周囲のｐＨに依存した色に変化するので、溶液１０の色が変化することはない。したがって、分子量の小さい試薬１４をも使用することができるという利点がある。
【００３３】
また、本実施形態においては、カソード６側の部屋３にアルカリ液１０を収容することとしたが、これに代えて、酸性の水溶液を収容することしてもよい。
酸性に変色域を有する試薬としては、ゲンチアナバイオレット、メチルイエロー、ブロモフェノールブルー、コンゴーレッド、メチルオレンジ、ブロモクレゾールグリーン等を挙げることができる。
【００３４】
また、分子量の小さい試薬１４がイオン交換膜５を通過することにより、糖水溶液１１内の試薬１４の濃度が低下することを防止するために、図５に示されるように、非水溶性の基材１５の表面に試薬１４を塗布したものを糖水溶液１１内に投入してもよい。基材１５の大きさはイオン交換膜５の細孔を通過できない大きさである。これにより、イオン交換膜５が健全な状態では、試薬１４を塗布した基材１５はイオン交換膜５を透過できずに糖水溶液１１内に保持されるので、試薬１４の濃度低下を防止することができる。
【００３５】
このように構成された液体燃料電池１によれば、図６に示されるように、イオン交換膜５が健全な状態と、図７に示されるように、イオン交換膜５が劣化して孔Ａが形成された場合とで、基材１５表面の試薬１４が変化するので、外部からイオン交換膜５の破損を容易に観察することができる。
【００３６】
また、本実施形態においては、図８に示されるように、中性の糖水溶液１１内では不溶性で、アルカリ液１０によって溶解する外殻１６内に着色材１７を収容した着色材カプセル１８を採用することにしてもよい。外殻１６の材料としては、例えば、ポリカーボネート、ポリビニルアルコール、塩化ビニリデン樹脂、アルギン酸、メタクリル酸コポリマー、アクリル酸コポリマー、カルボキシビニルポリマー、ヒドロキシプロピルメチルセルロースアセテートサクシネート、セルロースアセテートフタレート、ヒドロキシプロピルメチルセルロースフタレート、カルボキシメチルエチルセルロース、酢酸フタル酸セルロース等を挙げることができる。
【００３７】
また、着色材１７としては、アマランス、エリスロシン、アラルレッド、サンセットイエロー等の合成着色料や、ブドウ果皮色素やパプリカ色素等の天然色素あるいはニュートラルレッド、ナフタノールフタレイン、チモールフタレイン等のｐＨ指示薬、顔料等を挙げることができる。着色材１７としては、アルカリ液１０内において着色状態となる任意のものを使用することができる。
【００３８】
このようにすることで、図９に示されるように、イオン交換膜５が健全な状態では糖水溶液１１内において着色材カプセル１８が浮遊している。そして、イオン交換膜５が劣化して孔Ａが形成されると、アルカリ液１０が部屋３から部屋４内に流入し、中性の糖水溶液１１がアルカリ性へと変化するので、ｐＨ変化によって着色材カプセル１８の外殻１６が溶解し、内部の着色材１７が糖水溶液１１内に放出される。これにより、図１０に示されるように、糖水溶液１１内に着色材１７が分散されて、糖水溶液１１の色調が変化するので、外部から簡易にイオン交換膜５の破損を確認することができる。
【００３９】
また、外殻１６内に収容する着色材１７としては、着色された多数の粒子、例えば、カラーボールを採用してもよい。外殻１６が溶解されると多数の着色粒子が糖水溶液１１内に分散されることにより、糖水溶液１１の色調を変化させることができる。
また、外殻１６内に収容する物質としては、糖水溶液１１の色調を変化させる着色材１７に限られず、アルカリ液１０内において不溶性で、糖水溶液１１の透明度を変化させるものであってもよいし、糖水溶液１１内に浮遊する物質として外観上確認できる形状のもの、例えば、円板状や星形状をした物質を収容してもよい。
【００４０】
また、中性の糖水溶液１１内に、上記着色材カプセル１８と同様の外殻１６内に中和剤１９を収容した中和剤カプセル２０が投入されていてもよい。
アルカリ液１０を中和する中和剤１９としては、例えば、クエン酸、酢酸等の有機酸の他、水に溶けることにより酸性を示す任意のものを使用することができる。
酸性液を中和する中和剤１９としては、例えば、水酸化ナトリウム等、水に溶けることによりアルカリ性を示す任意のものを使用することができる。
【００４１】
このようにすることで、イオン交換膜５が破損して糖水溶液１１とアルカリ液１０とが混合すると、糖水溶液１１がアルカリ性に変化するので、中和剤カプセル２０の外殻１６が溶解して、内部の中和剤１９が放出される結果、糖水溶液１１が中和される。これにより、糖水溶液１１を廃棄する際の取り扱い性を向上することができる。
【００４２】
また、上記着色材カプセル１８と中和剤カプセル２０とは一体化させてもよい。
すなわち、非中性溶液としてアルカリ液１０を使用する場合には、着色材１７として、ｐＨ変化によっては外観の変化しないもの、あるいは、酸性から中性へとｐＨが変化することにより外観が変化するものを、図１２および図１３に示されるように、酸性の中和剤１９とともに外殻１６内に収容しておけばよい。
【００４３】
このようにすることで、糖水溶液１１がアルカリ性にｐＨ変化し、着色材カプセル１８の外殻１６が溶解すると、内部の着色材１７が放出されるとともに中和剤１９が放出される。これにより、糖水溶液１１が中和されるとともに、糖水溶液１１内に着色材１７が分散させられることにより、糖水溶液１１の外観を変化させ、イオン交換膜５の破損を報知することができる。
【００４４】
また、容器２の部屋４に糖水溶液１１の給排口９を設ける場合、給排口９には、例えば、図１４に示されるように、糖水溶液１１の排出時に、糖水溶液１１内に投入されている着色材カプセル１８や中和剤カプセル２０が一緒に排出されないように保持するフィルタ部２１が設けられていることが好ましい。フィルタ部２１としては、着色材カプセル１８や中和剤カプセル２０より小さい口径の貫通孔２１ａを設けることにしてもよいし、着色材カプセル１８や中和剤カプセル２０より小さい網目のメッシュを設けることにしてもよい。フィルタ部２１は、給排口９ではなく部屋４の中程に設けることにしてもよい。
【００４５】
このようにすることで、糖水溶液１１を部屋４から排出する際に、未使用の着色材カプセル１８や中和剤カプセル２０が一緒に排出されてしまうことをフィルタ部２１によって阻止することができ、これらのカプセル１８，２０の再利用を容易にすることができるという利点がある。着色材カプセル１８や中和剤カプセル２０が使用されてしまった後には、外殻１６が溶解しているので、フィルタ部２１によって阻止されることなく糖水溶液１１と一緒に排出することができる。この場合に、着色材カプセル１８あるいは中和剤カプセル２０としては、図１４に示されるように、フィルタ部２１の貫通孔２１ａを塞いでしまわない形状、例えば、孔のある形状等の異形形状であることが好ましい。
【００４６】
また、フィルタ部２１によって排出を阻止することに代えて、図１５に示されるように、着色材１７や中和剤１９を部屋４の内壁に塗布し、その上を外殻１６の材料によってコーティングすることにより、部屋４内に固定してもよい。あるいは、着色材カプセル１８や中和剤カプセル２０を部屋４の内壁に接着してもよい。これによっても同等の効果を得ることができる。
【００４７】
また、本実施形態においては、中性溶液として糖水溶液１１を例示したが、これに代えて、他の中性溶液を採用してもよい。
【符号の説明】
【００４８】
１  液体燃料電池
２  イオン交換膜
３，４  部屋
６  カソード
７  アノード
９  給排口（排出口）
１０  アルカリ液（非中性溶液）
１１  糖水溶液（中性溶液）
１３，１７  着色材（破損報知手段）
１４  試薬
１５  基材
１８  着色材カプセル（破損報知手段）
１９  中和剤（中和手段）
２０  中和剤カプセル（中和手段）
２１  フィルタ部
【図１】
2014035824.tif 000003
【図２】
2014035824.tif 000004
【図３】
2014035824.tif 000005
【図４】
2014035824.tif 000006
【図５】
2014035824.tif 000007
【図６】
2014035824.tif 000008
【図７】
2014035824.tif 000009
【図８】
2014035824.tif 000010
【図９】
2014035824.tif 000011
【図１０】
2014035824.tif 000012
【図１１】
2014035824.tif 000013
【図１２】
2014035824.tif 000014
【図１３】
2014035824.tif 000015
【図１４】
2014035824.tif 000016
【図１５】
2014035824.tif 000017